(57)【要約】【課題】  内容物がまだ残っている時には、オーバーキャップが噴出ヘッドを押下げることがなく確実に使用でき、使用済みエアゾール容器の残留ガスを抜き取る時には、オーバーキャップの一部を外した後にエアゾール容器の上部に装着し、残留ガスを抜き取るようにしたエアゾール容器のガス抜き機構を提供すること。【解決手段】  噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを分離可能とした係合キャップとからなり、押下げキャップを係合キャップから外した後、押下げキャップをエアゾール容器に装着することにより、噴出ヘッドの押下げ状態を維持するようにしたことを特徴とする。【選択図】  図１
2008114863.tif 000002
【特許請求の範囲】
【請求項１】
噴出ヘッドを装着したエアゾール容器にオーバーキャップを装着した内容物噴出容器であって、
エアゾール容器は、肩部上端に係合環を形成したマウンテンカップを具えており、
オーバーキャップは、押下げキャップと、該押下げキャップを分離可能とした係合キャップとからなり、
押下げキャップを係合キャップから外した後、押下げキャップをエアゾール容器に装着することにより、噴出ヘッドの押下げ状態を維持するようにしたことを特徴とするエアゾール容器のガス抜き機構。
【請求項２】
エアゾール容器は、肩部下端に係合部を具えており、
押下げキャップは、係合筒の下端にマウンテンカップの係合環に係合する嵌合突条が設けられ、
係合キャップは、外筒の下端に、前記肩部下部の係合部に係合する嵌合突条が設けられていることを特徴とする請求項１記載のエアゾール容器のガス抜き機構。
【請求項３】
押下げキャップは、頂壁と、頂壁下面に垂設された係合筒とを具え、
係合筒の内周には、指掛片が配設され、下端には、エアゾール容器のマウンテンカップの係合環に係合する嵌合突部が設けられ、外周には、所定の位置に係合突部が配設され、
係合キャップは、上壁と、内筒と外筒とを具え、
内筒は、押下げキャップの係合筒の外周に係合する上部筒と、下部筒とを具え、
上部筒の下部には、押下げキャップの係合突部に係合する係合溝部が穿設され、
下部筒の下端には、エアゾール容器のマウンテンカップの係合環に係合する係合突部が設けられ、
押下げキャップを係合キャップに対して廻動させ、押下げキャップの係合筒の係合突部と、係合キャップの内筒の上部筒の係合溝部との係合を外して、押下げキャップを係合キャップから外せるようにしたことを特徴とする請求項１記載のエアゾール容器のガス抜き機構。
【請求項４】
請求項３記載のエアゾール容器のガス抜き機構において、
係合キャップの内筒の下部筒の下端に代え、係合キャップの外筒の下端にエアゾール容器の肩部下部に設けた係合部に係合する嵌合突部を設けたことを特徴とする請求項３記載のエアゾール容器のガス抜き機構。
【請求項５】
押下げキャップは、頂壁と、頂壁に垂設された押下げ筒と、頂壁の下面に垂設されるとともに、下端から延びる切込み部を複数設けた係合筒とを具え、
係合筒の下端には、エアゾール容器のマウンテンカップの係合環に係合する嵌合突部が設けられ、
係合キャップは、上壁と、内筒と外筒とを具え、
上壁は、リング状の外上壁部と、内上壁部とを具え、
外上壁部と内上壁部は、切断可能な複数のブリッジにより連設され、
内上壁部には、押下げキャップの押下げ筒外周と嵌合する嵌合孔が穿設され、
内筒の下端には、エアゾール容器のマウンテンカップの係合環に係合する係合突部が設けられ、
押下げキャップを係合キャップに対して廻動させ、係合キャップの上壁のブリッジを切断し、係合キャップの上壁の内上壁部が押下げキャップとともに外上壁部から外れ、押下げキャップを係合キャップから外すようにしたことを特徴とする請求項１記載のエアゾール容器のガス抜き機構。
【請求項６】
請求項５記載のエアゾール容器のガス抜き機構において、
係合キャップの内筒の下端に代え、係合キャップの外筒の下端にエアゾール容器の肩部下端に設けた係合部に係合する嵌合突部を設けたことを特徴とする請求項５記載のエアゾール容器のガス抜き機構。
【請求項７】
噴出ヘッドを装着したエアゾール容器にオーバーキャップを装着した内容物噴出容器であって、
エアゾール容器は、肩部上端に係合環を形成したマウンテンカップを具えており、
オーバーキャップは、押下げキャップと、該押下げキャップを分離可能とした係合キャップとからなり、
押下げキャップは、頂壁と、頂壁の下面に垂設された押下げ筒と、頂壁の外縁に連設された外筒部とを具え、
係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、
内上壁の中央には、押下げキャップの押下げ筒と嵌合する嵌合孔が穿設され、
内筒の下端には、エアゾール容器のマウンテンカップの係合環に係合する嵌合突部が設けられ、
外筒の下端には、エアゾール容器のマウンテンカップの係合環、または肩部下部に設けた係合部に係合する係合突部が設けられ、
押下げキャップの押下げ筒の外周に嵌合した係合キャップの内上壁を、ブリッジを切断して係合キャップの外上壁から切り離し、
押下げキャップと内上壁をエアゾール容器の係合環に装着することにより、噴出ヘッドの押下げ状態を維持するようにしたことを特徴とするエアゾール容器のガス抜き機構。
【発明の詳細な説明】
【技術分野】
【０００１】
本発明は、エアゾール容器、とくに使用後における容器内の残留ガス抜き取り機構に関するものである。
【背景技術】
【０００２】
噴出ヘッドを装着したエアゾール容器に、噴出ヘッドを保護するオーバーキャップを装着した内容物噴出容器において、使用済みエアゾール容器の残留ガスを抜き取るために、エアゾール容器に装着した肩カバーを取外し、オーバーキャップをエアゾール容器に直接装着することで噴出ヘッドを押下げ位置に維持して残留ガスを抜き取るようにした内容物噴出容器は、従来より知られている（例えば、特許文献１参照）。
【０００３】
また、使用済みエアゾール容器の残留ガスを抜き取るために、オーバーキャップの中央に装着したボタンカップを押下げ、噴出ヘッドを押下げ位置に維持して残留ガスを抜き取るようにした内容物噴出容器は、従来より知られている（例えば、特許文献２参照）。
【特許文献１】特開２００１−２１５４号公報
【特許文献１】特開２００１−５５２８４号公報
【発明の開示】
【発明が解決しようとする課題】
【０００４】
しかしながら、上記特許文献１記載の内容物噴出容器では、内容物がまだ残っている時に、肩カバーが外れてしまうと、オーバーキャップをエアゾール容器に装着して使用することができなくなるという問題もあった。
上記特許文献２記載の内容物噴出容器でも、内容物がまだ残っている時に、ボタンカップを押下げると噴出ヘッドが押下げられ、内容物が無駄に噴出してしまうという問題があった。
【０００５】
本発明は、上記問題を解決することを課題とし、内容物噴出容器として、内容物がまだ残っている時には、オーバーキャップが噴出ヘッドを押下げることがなく確実に使用でき、使用済みエアゾール容器の残留ガスを抜き取る時には、オーバーキャップの一部を外した後にエアゾール容器の上部に装着し、残留ガスを抜き取るようにしたエアゾール容器のガス抜き機構を提供することを目的とする。
【課題を解決するための手段】
【０００６】
本発明は、上記の課題を解決するため、エアゾール容器のガス抜き機構として、噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを分離可能とした係合キャップとからなり、押下げキャップを係合キャップから外した後、押下げキャップをエアゾール容器に装着することにより、噴出ヘッドの押下げ状態を維持するようにしたことを特徴とする構成を採用する。
【０００７】
ガス抜き機構の組立のために、エアゾール容器は、肩部下端に係合部を具えており、押下げキャップは、係合筒の下端にマウンテンカップの係合環に係合する嵌合突条が設けられ、係合キャップは、外筒の下端に、前記肩部下部の係合部に係合する嵌合突条が設けられていることを特徴とする構成を採用する。
【０００８】
ガス抜き機構の具体的な実施例として、押下げキャップは、頂壁と、頂壁下面に垂設された係合筒とを具え、係合筒の内周には、指掛片が配設され、下端には、エアゾール容器のマウンテンカップの係合環に係合する嵌合突部が設けられ、外周には、所定の位置に係合突部が配設され、係合キャップは、上壁と、内筒と外筒とを具え、内筒は、押下げキャップの係合筒の外周に係合する上部筒と、下部筒とを具え、上部筒の下部には、押下げキャップの係合突部に係合する係合溝部が穿設され、下部筒の下端には、エアゾール容器のマウンテンカップの係合環に係合する係合突部が設けられ、押下げキャップを係合キャップに対して廻動させ、押下げキャップの係合筒の係合突部と、係合キャップの内筒の上部筒の係合溝部との係合を外して、押下げキャップを係合キャップから外せるようにしたことを特徴とする構成、或いは、係合キャップの内筒の下部筒の下端に代え、係合キャップの外筒の下端にエアゾール容器の肩部下部に設けた係合部に係合する嵌合突部を設けたことを特徴とする構成を採用する。
【０００９】
ガス抜き機構の他の実施例として、押下げキャップは、頂壁と、頂壁に垂設された押下げ筒と、頂壁の下面に垂設されるとともに、下端から延びる切込み部を複数設けた係合筒とを具え、係合筒の下端には、エアゾール容器のマウンテンカップの係合環に係合する嵌合突部が設けられ、係合キャップは、上壁と、内筒と外筒とを具え、上壁は、リング状の外上壁部と、内上壁部とを具え、外上壁部と内上壁部は、切断可能な複数のブリッジにより連設され、内上壁部には、押下げキャップの押下げ筒外周と嵌合する嵌合孔が穿設され、内筒の下端には、エアゾール容器のマウンテンカップの係合環に係合する係合突部が設けられ、押下げキャップを係合キャップに対して廻動させ、係合キャップの上壁のブリッジを切断し、係合キャップの上壁の内上壁部が押下げキャップとともに外上壁部から外れ、押下げキャップを係合キャップから外すようにしたことを特徴とする構成、或いは、係合キャップの内筒の下端に代え、係合キャップの外筒の下端にエアゾール容器の肩部下端に設けた係合部に係合する嵌合突部を設けたことを特徴とする構成を採用する。
【００１０】
ガス抜き機構の他の実施例として、噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを分離可能とした係合キャップとからなり、押下げキャップは、頂壁と、頂壁の下面に垂設された押下げ筒と、頂壁の外縁に連設された外筒部とを具え、係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、内上壁の中央には、押下げキャップの押下げ筒と嵌合する嵌合孔が穿設され、内筒の下端には、エアゾール容器のマウンテンカップの係合環に係合する嵌合突部が設けられ、外筒の下端には、エアゾール容器のマウンテンカップの係合環、または肩部下部に設けた係合部に係合する係合突部が設けられ、押下げキャップの押下げ筒の外周に嵌合した係合キャップの内上壁を、ブリッジを切断して係合キャップの外上壁から切り離し、押下げキャップと内上壁をエアゾール容器の係合環に装着することにより、噴出ヘッドの押下げ状態を維持するようにしたことを特徴とする構成を採用する。
【発明の効果】
【００１１】
噴出ヘッドを装着したエアゾール容器にオーバーキャップを装着した内容物噴出容器において、オーバーキャップを、押下げキャップと係合キャップとから形成し、エアゾール容器のガス抜きの際、係合キャップに対して押下げキャップを廻動させ、押下げキャップを係合キャップから外した後、押下げキャップをエアゾール容器の係合環に装着することにより、押下げキャップが噴出ヘッドの押下げ状態を維持できるようにしたので、エアゾール容器のガス抜きが、簡単にかつ確実に行われるようになった。
【発明を実施するための最良の形態】
【００１２】
次に、本発明の噴出容器について、実施例をあげ、図面を参照して説明する。
【実施例１】
【００１３】
図１において、Ａはエアゾール容器、Ｂはエアゾール容器Ａに装着された噴出ヘッド、Ｃはエアゾール容器Ａに装着されたオーバーキャップである。
【００１４】
エアゾール容器Ａは、金属製、または合成樹脂製であり、胴部１と、胴部１上端から内側上方に傾斜する肩部２と、肩部２上端に連設されたマウンテンカップ３とを具備している。
マウンテンカップ３は、上部に係合環４を形成し、内方中央には、上端にステム５を突出したエアゾールバルブが取着されている。
【００１５】
噴出ヘッドＢは、合成樹脂によって成形され、エアゾール容器Ａのステム５に装着されており、頂壁１０と、頂壁１０外縁に垂設され、噴出孔１１を配設した側周壁１２とを具えており、頂壁１０は、噴出孔１１の側を高くした傾斜面からなっている。
【００１６】
図１、２に示すように、オーバーキャップＣは、合成樹脂によって成形され、押下げキャップＣ１と、係合キャップＣ２とからなっている。
押下げキャップＣ１は、頂壁１５と、頂壁１５の下面に垂設された係合筒１６とを具えており、頂壁周縁には、嵌合リング１５ａが垂設されている。
係合筒１６の内周には、上部の所定の位置に、頂壁１５下面から垂設される指掛片１７が配設され、下端に、エアゾール容器Ａのマウンテンカップ３の係合環４外周に係合する嵌合突部１８が設けられている。
係合筒１６の外周には、所定の位置に係合突部１９が配設されている。
【００１７】
押下げキャップＣ１の係合筒１６内周下部には、押下げキャップＣ１内から外に通じる空気の流路が、縦溝など（図示しない）により設けられている。
【００１８】
係合キャップＣ２は、押下げキャップＣ１の頂壁１５下面に当接し、嵌合リング１５ａと係合する嵌合リング２０ａを立設した上壁２０と、上壁２０の内縁に垂設された内筒２１と、上壁２０の外縁に垂設された外筒２２とを具えている。
内筒２１は、押下げキャップＣ１の係合筒１６の外周に係合する上部筒２３と、上部筒２３の内周下端より段部２４を介して縮径されて形成される下部筒２５とを具えている。
【００１９】
上部筒２３の下部には、図２、図３（ａ）に示すように、押下げキャップＣ１の係合筒１６の外周の所定の位置に配設した係合突部１９に係合する一定巾の係合溝部２６が穿設されている。
下部筒２５の内周下端には、エアゾール容器Ａのマウンテンカップ３の係合環４外周に係合する係合突部２７が設けられている。
【００２０】
次に、本実施例の噴出容器の使用態様と、作用効果について説明する。
噴出容器の組立は、まず、係合キャップＣ２の内筒２１内に上方より押下げキャップＣ１の係合筒１６を挿入し、内筒２１の係合溝部２６に係合筒１６の外周に配設した係合突部１９を係合させるとともに、押下げキャップＣ１の頂壁１５周縁の嵌合リング１５ａと係合キャップＣ２の上壁２０上面の嵌合リング２０ａを係合させて、押下げキャップＣ１を係合キャップＣ２に装着したオーバーキャップＣを形成する。
【００２１】
次に、ステム５に噴出ヘッドＢを装着したエアゾール容器Ａの上方にオーバーキャップＣを被せ、エアゾール容器Ａのマウンテンカップ３の係合環４に係合キャップＣ２の内筒２１の下部筒２５下端の係合突部２７を係合させることで、エアゾール容器Ａの上部にオーバーキャップＣを装着し、閉蓋した噴出容器を得ることができる。
【００２２】
噴出容器の使用にあたっては、係合キャップＣ２の外筒２２を把持してオーバーキャップＣをエアゾール容器Ａから上方に引張って開蓋し、噴出ヘッドＢを押下げ操作すると、内容物を噴出孔１１から噴出させることができる。
【００２３】
内容物を全て使用し、エアゾール容器Ａを廃棄する際には、エアゾール容器Ａ内の残留ガスの抜き取りを行う。
残留ガスの抜き取りは、まず、オーバーキャップＣをエアゾール容器Ａから取外し、押下げキャップＣ１の内方の指掛片１７に指などを掛け、係合キャップＣ２に対し押下げキャップＣ１を廻動させる。
【００２４】
廻動させることで、図３（ｂ）に示すように、押下げキャップＣ１の係合筒１６に配設した係合突部１９と係合キャップＣ２の内筒２１の係合溝部２６の係合が外れるとともに、係合突部１９の側周が内筒２１の上部筒２３内周面に当接して、内筒２１は一部を変形させられる。
【００２５】
係合キャップＣ２の内筒２１の一部を変形したまま、押下げキャップＣ１を下方から押し上げると、係合キャップＣ２の内筒２１内から押下げキャップＣ１が上方に摺動し、最後は外れる。
【００２６】
次に、押下げキャップＣ１を直接エアゾール容器Ａの上方に被せ、エアゾール容器Ａのマウンテンカップ３の係合環４外周に押下げキャップＣ１の係合筒１６の嵌合突部１８を係合させて装着し、閉蓋する。
【００２７】
エアゾール容器Ａの上部に押下げキャップＣ１を装着すると、図４に示すように、押下げキャップＣ１の頂壁１５の下面が噴出ヘッドＢの頂壁１０上面に当接し、噴出ヘッドＢを一定の位置まで押下げ、残留ガスの抜き取りが行われる。
残留ガスは、噴出ヘッドＢの噴出孔１１から押下げキャップＣ１内に噴出され、押下げキャップＣ１に設けた空気の流路を通り、エアゾール容器Ａ外に排出される。
【００２８】
押下げキャップＣ１の係合筒１６の嵌合突部１８と、エアゾール容器Ａのマウンテンカップ３の係合環４との係合が維持され、そのまま放置するだけで、ガスの抜き取りが継続され、エアゾール容器Ａ内の残留ガスや内容物は完全に抜き取られ、エアゾール容器Ａを安全に廃棄することができる。
また、エアゾール容器Ａ内の残留ガスや内容物を完全に抜き取り後、エアゾール容器Ａから押下げキャップＣ１を取外し、分別廃棄することもできる。
【００２９】
上記実施例では、係合キャップＣ２の内筒２１の内周下端に設けた係合突部２７と、エアゾール容器Ａのマウンテンカップ３の係合環４外周とを係合させて、エアゾール容器Ａの上部にオーバーキャップＣを装着して閉蓋したが、変形実施例として、図５に示すように、エアゾール容器Ａの肩部２の外縁に係合部２ａを設け、係合キャップＣ２の外筒２２の内周下端に肩部２の外縁に設けた係合部２ａに係合する係合突条２２ａを設けて、エアゾール容器Ａの上部にオーバーキャップＣを装着し、閉蓋するように係合キャップＣ２を形成してもよい。
【００３０】
係合キャップＣ２の外筒２２の内周下端に係合突条２２ａを設ける場合には、内筒２１の下部筒２５は必要としないので、係合キャップＣ２の成形が簡単なものとなる。
オーバーキャップの係合キャップをエアゾール容器に装着させる構成は、上記実施例の形態に限定されない。
【実施例２】
【００３１】
次に、オーバーキャップの押下げキャップと係合キャップとの装着方法を変えた第２実施例について説明する。
本実施例の第１実施例と同一の構成部分には、同一の符号を付して図示し、詳しい説明を省略する。
【００３２】
図６において、Ａはエアゾール容器、Ｂはエアゾール容器Ａに装着された噴出ヘッド、Ｃａはエアゾール容器Ａに装着されたオーバーキャップである。
【００３３】
図６、７に示すように、オーバーキャップＣａは、合成樹脂によって成形され、押下げキャップＣａ１と、係合キャップＣａ２とからなっている。
押下げキャップＣａ１は、頂壁３０と、頂壁３０の下面中央に垂設された押下げ筒３１と、頂壁３０の下面に垂設されるとともに、下端から延びる切込み部３２を所定の位置に複数設けた係合筒３３と、頂壁３０の外縁に連設された外筒部３４とを具えている。
【００３４】
押下げ筒３１の外周には、嵌合部３５が設けられている。
係合筒３３の外周下端には、エアゾール容器Ａのマウンテンカップ３の係合環４内周に係合する嵌合突部３６が設けられている。
【００３５】
図７に示すように、係合キャップＣａ２は、押下げキャップＣａ１の頂壁３０の下面に上面が係合する上壁４０と、上壁４０の下面に垂設された内筒４１と、上壁４０の外縁に押下げキャップＣａ１の外筒部３４と係合する段部４２を介して連設された外筒４３とを具えている。
【００３６】
上壁４０は、所定の位置に押下げキャップのＣａ１の係合筒３３が挿入するように形成された嵌挿部４４が穿設され、嵌挿部４４により、リング状の外上壁部４５と、外上壁部４５内縁に連設された内上壁部４６が形成されている。
外上壁部４５と内上壁部４６は、嵌挿部４４内で、押下げキャップＣａ１の係合筒３３に設けた切込み部３２に適合する位置に設けられた切断可能な複数のブリッジ４７により連設されている。
内上壁部４６の中央には、押下げキャップＣａ１の押下げ筒３１外周および嵌合部３５と嵌合する嵌合孔４８が穿設されている。
【００３７】
内筒４１の内周下端には、エアゾール容器Ａのマウンテンカップ３の係合環４外周に係合する係合突部４９が設けられている。
【００３８】
次に、本実施例の噴出容器の使用態様と、作用効果について説明する。
噴出容器の組立は、まず、押下げキャップＣａ１の係合筒３３を係合キャップＣａ２の上壁４０の嵌挿部４４に上方より挿通させる。
その際、押下げキャップＣａ１の係合筒３３に設けた切込み部３２内に、係合キャップＣａ２の嵌挿部４４内に設けたブリッジ４７が挿入されていく。
【００３９】
次に、押下げキャップＣａ１の押下げ筒３１を、係合キャップＣａ２の上壁４０の内上壁部４６の嵌合孔４８に挿入し、嵌合させるとともに、押下げキャップＣａ１の頂壁３０下面と係合キャップＣａ２の上壁４０上面、および、押下げキャップＣａ１の外筒部３４と係合キャップＣａ２の段部４２を係合させて、押下げキャップＣａ１を係合キャップＣａ２に装着したオーバーキャップＣａが得られる。
【００４０】
次に、ステム５に噴出ヘッドＢを装着したエアゾール容器Ａの上方にオーバーキャップＣａを被せ、エアゾール容器Ａのマウンテンカップ３の係合環４外周に係合キャップＣａ２の内筒４１の係合突部４９を係合させ、エアゾール容器Ａの上部にオーバーキャップＣａを装着し、閉蓋した噴出容器を得ることができる。
【００４１】
噴出容器の使用にあたっては、係合キャップＣａ２の外筒４３を把持してオーバーキャップＣａをエアゾール容器Ａから上方に引張って開蓋し、噴出ヘッドＢを押下げ操作して、内容物を噴出孔１１から噴出させることができる。
【００４２】
全内容物の使用後、エアゾール容器Ａ内の残留ガスの抜き取りは、まず、押下げキャップＣａ１の外筒部３４の外周を把持し、係合キャップＣａ２に対し押下げキャップＣａ１を廻動させ、その廻動により、押下げキャップＣａ１の係合筒３３に設けた切込み部３２内に係合している係合キャップＣａ２の嵌挿部４４内のブリッジ４７が、切込み部３２の廻動により切断され、係合キャップＣａ２の上壁４０は、内上壁部４６が外上壁部４５から外される。
【００４３】
内上壁部４６が外れた状態で、押下げキャップＣａ１を外筒部３４をつかんで上方に持ち上げると、押下げキャップＣａ１は、押下げ筒３１に嵌合された内上壁部４６とともに係合キャップＣａ２より外される。
【００４４】
次に、押下げキャップＣａ１を直接エアゾール容器Ａの上方に被せ、エアゾール容器Ａのマウンテンカップ３の係合環４の内側に押下げキャップＣａ１の係合筒３３の嵌合突部３６を係合させて装着する。
【００４５】
エアゾール容器Ａの上部に押下げキャップＣａ１を装着すると、図８に示すように、押下げキャップＣａ１の押下げ筒３１の下端面が噴出ヘッドＢの頂壁１０上面に当接し、噴出ヘッドＢを一定の位置まで押下げ、残留ガスの抜き取りが行われる。
残留ガスは、噴出ヘッドＢの噴出孔１１から押下げキャップＣａ１内に噴出され、押下げキャップＣａ１の切込み部３２を通り、エアゾール容器Ａ外に排出される。
その他、第１実施例と同一の作用効果を得ることができる。
【００４６】
上記実施例では、係合キャップＣａ２の内筒４１の内周下端に設けた係合突部４９を設けたが、実施例１と同様に、エアゾール容器Ａの肩部２の外縁に係合部を設け、係合キャップＣａ２の外筒４３の内周下端に、肩部２の外縁に設けた係合部に係合する係合突条を設けて、エアゾール容器Ａの上部にオーバーキャップＣａを装着し、閉蓋するように係合キャップを形成してもよい。
【００４７】
係合キャップＣａ２の外筒４３の内周下端に係合突条を設けるのであれば、内筒４１は必要としないので、係合キャップＣａ２の成形が簡単なものとなる。
オーバーキャップの係合キャップをエアゾール容器に装着させる構成は、上記実施例の形態に限定されない。
【実施例３】
【００４８】
次に、オーバーキャップの押下げキャップと係合キャップとの装着方法を変えた第３実施例について説明する。
本実施例の第１実施例と同一の構成部分には、同一の符号を付して図示し、詳しい説明を省略する。
【００４９】
図９において、Ａはエアゾール容器、Ｂはエアゾール容器Ａに装着された噴出ヘッド、Ｃｂはエアゾール容器Ａに装着されたオーバーキャップである。
【００５０】
図９、１０に示すように、オーバーキャップＣｂは、合成樹脂によって成形され、押下げキャップＣｂ１と、係合キャップＣｂ２とからなっている。
押下げキャップＣｂ１は、頂壁５０と、頂壁５０の下面中央に垂設された押下げ筒５１と、頂壁５０の外縁に連設された外筒部５２とを具えている。
押下げ筒５１の外周には、嵌合部５３が設けられている。
【００５１】
係合キャップＣｂ２は、内上壁５５と、内上壁５５の下面外縁に垂設される内筒５６と、内上壁５５の外縁に、切断可能な複数のブリッジ５７を介して連設されるリング状の外上壁５８と、外上壁５８の外縁に押下げキャップＣｂ１の外筒部５２と係合する段部５９を介して連設された外筒６０とを具えている。
【００５２】
内上壁５５の中央には、押下げキャップＣｂ１の押下げ筒５１外周および嵌合部５３と嵌合する嵌合孔６１が穿設されている。
内筒５６の外周下端には、エアゾール容器Ａのマウンテンカップ３の係合環４内周に係合する嵌合突部６２が設けられている。
外筒６０の内周下端には、エアゾール容器Ａのマウンテンカップ３の係合環４外周に係合する係合突部６３が設けられている。
【００５３】
次に、本実施例の噴出容器の使用態様と、作用効果について説明する。
噴出容器の組立は、まず、押下げキャップＣｂ１の押下げ筒５１を係合キャップＣｂ２の内上壁５５の嵌合孔６１に挿入し、嵌合させるとともに、押下げキャップＣｂ１の頂壁５１下面と係合キャップＣｂ２の内上壁５５と外上壁５８の上面、および、押下げキャップＣｂ１の外筒部５２と係合キャップＣｂ２の段部５９を係合させて、押下げキャップＣｂ１を係合キャップＣｂ２に装着したオーバーキャップＣｂが得られる。
【００５４】
次に、ステム５に噴出ヘッドＢを装着したエアゾール容器Ａの上方にオーバーキャップＣｂを被せ、エアゾール容器Ａのマウンテンカップ３の係合環４外周に係合キャップＣｂ２の外筒６０の係合突部６３を係合させ、エアゾール容器Ａの上部にオーバーキャップＣｂを装着し、閉蓋した噴出容器を得ることができる。
【００５５】
噴出容器の使用にあたっては、係合キャップＣｂ２の外筒６０を把持してオーバーキャップＣｂをエアゾール容器Ａから上方に引張って開蓋し、噴出ヘッドＢを押下げ操作して、内容物を噴出孔１１から噴出させることができる。
【００５６】
残留ガスの抜き取りは、まず、押下げキャップＣｂ１の外筒部５２の外周を把持し、係合キャップＣｂ２に対し押下げキャップＣｂ１を廻動させるか、または引っ張り上げる。
【００５７】
押下げキャップＣｂ１を廻動させるか、または、引っ張り上げると、押下げキャップＣｂ１の押下げ筒５１の外周に嵌合した係合キャップＣｂ２の内上壁５５が、外上壁５８に対して押下げキャップＣｂ１とともに廻動、または、引っ張り上げられることで、ブリッジ５７が切断され、係合キャップＣｂ２の内上壁５８および内筒５６は、外上壁部５８から押下げキャップＣｂ１とともに外され、図１１に示すように、係合キャップＣｂ２の内上壁５８および内筒５６と押下げキャップＣｂ１が嵌合した押下げ部材Ｄが形成される。
【００５８】
次に、残りの係合キャップＣｂ２をエアゾール容器Ａから外した後、押下げ部材Ｄをエアゾール容器Ａの上方に被せ、エアゾール容器Ａのマウンテンカップ３の係合環４の内側に内筒５６の嵌合突部６２を係合させて装着する。
【００５９】
エアゾール容器Ａの上部に、押下げ部材Ｄの内筒５６を装着すると、押下げキャップＣｂ１の押下げ筒５１の下端面が噴出ヘッドＢの頂壁１０上面に当接し、噴出ヘッドＢを一定の位置まで押下げ、残留ガスの抜き取りが行われる。
その他、第１実施例と同一の作用効果を得ることができる。
【００６０】
上記実施例では、エアゾール容器Ａの肩部２の外縁に係合部を設け、係合キャップＣｂ２の外筒６０の係合突部６３がエアゾール容器Ａの肩部２の係合部に係合して、閉蓋するようにオーバーキャップＣｂの側部を形成してもよく、オーバーキャップの係合キャップをエアゾール容器に装着させる構成は、上記実施例の形態に限定されない。
【産業上の利用可能性】
【００６１】
本発明は、押下げキャップと係合キャップとからなるオーバーキャップの押下げキャップを係合キャップに対して回転させることで取外し、押下げキャップのみをエアゾール容器の上部に装着することで残留ガスの抜き取りができるので、種々のエアゾール容器のガス抜き機構として広く利用できる。
【図面の簡単な説明】
【００６２】
【図１】本発明の第１実施例の噴出容器の断面立面図である。
【図２】オーバーキャップの説明図で、（ａ）は断面立面図、（ｂ）は下面図である。
【図３】オーバーキャップの図２（ａ）のＡ−Ａ線における切断下面図で、（ａ）は押下げキャップ装着時、（ｂ）は押下げキャップ回転時の図である。
【図４】押下げキャップをエアゾール容器に直接装着した時の断面立面図である。
【図５】変形実施例の断面立面図である。
【図６】本発明の第２実施例の噴出容器の断面立面図である。
【図７】オーバーキャップの説明図で、（ａ）は押下げキャップと係合キャップとの断面立面分解図、（ｂ）は下面図である。
【図８】押下げキャップをエアゾール容器に直接装着した時の断面立面図である。
【図９】本発明の第３実施例の噴出容器の断面立面図である。
【図１０】オーバーキャップの説明図で、（ａ）は押下げキャップと係合キャップとの断面立面分解図、（ｂ）は下面図である。
【図１１】押下げ部材をエアゾール容器に直接装着した時の断面立面図である。
【符号の説明】
【００６３】
Ａ          エアゾール容器
Ｂ          噴出ヘッド
Ｃ、Ｃａ、Ｃｂ        オーバーキャップ 
Ｃ１、Ｃａ１、Ｃｂ１  押下げキャップ
Ｃ２、Ｃａ２、Ｃｂ２  係合キャップ
Ｄ          押下げ部材
１          胴部
２          肩部
２ａ        係合部
３          マウンテンカップ
４          係合環
５          ステム
１０、１５、３０、５０  頂壁
１１        噴出孔
１２        側周壁
１６、３３  係合筒
１７        指掛片
１８、３６、６２        嵌合突部
１９、２７、４９、６３  係合突部
２０、４０  上壁
２１、４１、５６  内筒        
２２、４３、６０  外筒      
２３        上部筒
２４、４２、５９  段部
２５        下部筒
２６        係合溝部
３１、５１  押下げ筒
３２        切込み部
３４、５２  外筒部
３５、５３  嵌合部
４４        嵌挿部
４５        外上壁部
４６        内上壁部
４７、５７  ブリッジ
４８、６１  嵌合孔
５５        内上壁
５８        外上壁
【図１】
2008114863.tif 000003
【図２】
2008114863.tif 000004
【図３】
2008114863.tif 000005
【図４】
2008114863.tif 000006
【図５】
2008114863.tif 000007
【図６】
2008114863.tif 000008
【図７】
2008114863.tif 000009
【図８】
2008114863.tif 000010
【図９】
2008114863.tif 000011
【図１０】
2008114863.tif 000012
【図１１】
2008114863.tif 000013